(57)【要約】【課題】本発明は、簡単に組み立てることができ、且つ組み立て過程の廃棄率を下げることができるレンズ鏡筒を提供する。【解決手段】本発明に係るレンズ鏡筒は、固定筒及び回転鏡筒を備え、前記固定筒の内部にレンズグループを内蔵することができ、前記回転鏡筒は、回転可能に前記固定筒の外部を覆い、前記固定筒と前記回転鏡筒の上に別々にお互いに係合することができる位置限定構造を設置し、前記位置限定構造は、前記回転鏡筒が前記固定筒に対して軸方向の偏りが発生することを防止することに用いられる。【選択図】図３
2009053696.tif 000002
【特許請求の範囲】
【請求項１】
固定筒及び回転鏡筒を備え、前記固定筒の内部にレンズグループを内蔵することができ、前記回転鏡筒は、回転可能に前記固定筒の外部を覆い、前記固定筒と前記回転鏡筒の上に別々にお互いに係合することができる位置限定構造を設置し、前記位置限定構造は、前記回転鏡筒が前記固定筒に対して軸方向の偏りが発生することを防止することに用いられることを特徴とするレンズ鏡筒。
【請求項２】
前記回転鏡筒の上に前記レンズグループの光軸方向に対して傾斜するガイドスロットを設置することを特徴とする請求項１に記載のレンズ鏡筒。
【請求項３】
前記ガイドスロットは、細長いスロットであることを特徴とする請求項２に記載のレンズ鏡筒。
【請求項４】
前記固定筒の上に前記レンズグループの光軸方向に対して平行である直線スロットを設置することを特徴とする請求項１に記載のレンズ鏡筒。
【請求項５】
前記直線スロットは、細長いスロットであることを特徴とする請求項４に記載のレンズ鏡筒。
【請求項６】
前記回転鏡筒の内壁に設置される位置限定構造は、内周スロットであって、前記固定筒の一端に位置する位置限定構造は、凸塊であって、前記凸塊と前記内周スロットが係合することを特徴とする請求項１に記載のレンズ鏡筒。
【請求項７】
前記回転鏡筒に前記内周スロットと同じ一端に位置し且つ前記内周スロットと連通する半開口進入スロットが設置される請求項６に記載のレンズ鏡筒。
【請求項８】
前記レンズグループは、ガイド部品を有し、前記ガイド部品は、前記回転鏡筒の上のガイドスロット及び前記固定筒の上の直線スロットを横切って前記レンズグループに固定接続し、且つ前記レンズグループを前記固定筒の中で光軸方向に沿って移動するように動かすことを特徴とする請求項１記載のレンズ鏡筒。
【請求項９】
前記回転鏡筒の内壁に設置される位置限定構造は、凸塊であって、前記固定筒の外表面に設置される位置限定構造は、外周スロットであって、前記外周スロットと前記凸塊が係合することを特徴とする請求項１記載のレンズ鏡筒。
【発明の詳細な説明】
【技術分野】
【０００１】
本発明は、レンズ鏡筒に関するものであり、特に焦点調整装置を有する撮像装置に用いられるレンズ鏡筒に関するものである。
【背景技術】
【０００２】
普通のプロジェクターのズームレンズは、レンズ鏡筒及びレンズグループを備える。前記レンズ鏡筒は、プロジェクターに固着される固定筒及び前記固定筒に対して相対的に一定の角度に回転することができるズームレンズ鏡筒とを備え、前記ズームレンズ鏡筒は、前記固定筒の外周を覆う。前記レンズグループは、前記固定筒の中に内蔵される。
【０００３】
目下、ズームレンズ鏡筒は、金属材質を採用し、前記ズームレンズ鏡筒が固定筒に対して相対的に回転する場合、前記ズームレンズ鏡筒と前記固定筒においては、前記レンズグループの光軸方向での相対位置は固定されており、前記ズームレンズ鏡筒は、単に前記固定筒の周りを回転するだけで、自身は、軸方向の偏りが発生しなく、従って前記固定筒内のレンズグループを駆動すると、レンズの光軸方向に沿って穏やかに移動する。よって、前記ズームレンズ鏡筒が光軸方向に沿って前記固定筒に対して相対的に移動することを防止する防止構造を設置しなければならない。目下、前記防止構造として、前記ズームレンズ鏡筒の上に動き防止スロットが設けられ、前記動き防止スロットは、前記ズームレンズ鏡筒を貫き、且つレンズの光軸方向に直交する。動き防止ねじが前記動き防止スロットを横切って前記固定筒に固定されるため、前記ズームレンズ鏡筒が回転する時、光軸方向に沿って前記固定筒に対して相対的に移動することを防止する。
【０００４】
図１は、従来のレンズ鏡筒の構造を示す図である。レンズグループは、固定筒６の中に内蔵されており、前記ズームレンズ鏡筒５は、前記固定筒６の外周を覆う。前記固定筒６の上に直線スロット６１を設け、前記直線スロット６１の方向は、レンズグループの光軸方向と一致する。前記ズームレンズ鏡筒５の上にガイドスロット５３及び動き防止スロット５１を設ける。前記ズームレンズ鏡筒５のガイドスロット５３は、前記固定筒６の直線スロット６１に対応する。前記ズームレンズ鏡筒５の動き防止スロット５１の方向は、レンズグループの光軸方向に直交し、且つ前記動き防止スロット５１が一定の長さを有するため、前記ズームレンズ鏡筒５が回転する角度を制御することができる。動き防止ねじ５２は、前記ズームレンズ鏡筒５の動き防止スロット５１を横切って前記固定筒６に固定するため、前記ズームレンズ鏡筒５が回転する時、光軸方向に沿って前記固定筒６に対して相対的に移動することを防止する。ガイドジベル５４は、前記ズームレンズ鏡筒５のガイドスロット５３及び前記固定筒６の直線スロット６１を横切って前記固定筒６内のレンズグループに固定される。前記ズームレンズ鏡筒５が外力の作用によって回転する時、前記ガイドジベル５４を前記ガイドスロット５３の中で運動させるとともに前記直線スロット６１の中で光軸方向に沿って移動させるため、前記レンズグループも前記固定筒６の中で光軸方向に沿って移動することにより、焦点調節の目的に達する。
【０００５】
流れ作業で実際に組み立てる場合、動き防止ねじ、動き防止スロット、ガイドジベル、直線スロット、ガイドスロット及びレンズグループを密接に組み合わせることを必要として、且つ綿密に組み立てなければ要求を満足することができなく、組み立てを間違えると、やり直しが必要とされ、従ってレンズの品質に影響し、甚だレンズを廃棄処分にすることになる。
【発明の開示】
【発明が解決しようとする課題】
【０００６】
本発明の目的は、前記課題を解決し、簡単に組み立てることができ、且つ組み立て過程の廃棄率を下げることができるレンズ鏡筒を提供することである。
【課題を解決するための手段】
【０００７】
前記目的を達成するため、本発明に係るレンズ鏡筒は、固定筒及び回転鏡筒を備え、前記固定筒の内部にレンズグループを内蔵することができ、前記回転鏡筒は、回転可能に前記固定筒の外部を覆い、前記固定筒及び前記回転鏡筒の上に別々にお互いに係合することができる位置限定構造を設置し、前記位置限定構造は、前記回転鏡筒が前記固定筒に対して軸方向の偏りが発生することを防止することに用いられる。
【発明の効果】
【０００８】
本発明のレンズ鏡筒の固定筒及び回転鏡筒の上にそれぞれ位置限定構造を設置し、前記固定筒は、前記位置限定構造によって前記回転鏡筒と係合することができ、前記位置限定構造が別々に前記固定筒及び前記回転鏡筒と一体に成型されるため、組み立てる時、直接に覆えばよく、余計な部品を使う必要がないため、組み立て過程が簡単であって、生産時間を減少し、生産コストを下げ、メーカーの競争力を高めることができる。
【発明を実施するための最良の形態】
【０００９】
以下、添付図面を参照しながら本発明を詳しく説明する。
【００１０】
図２は、本発明の実施形態に係るレンズ鏡筒の構造を示す分解図である。レンズ鏡筒は、伝統的カメラ、デジタルカメラ、ビデオカメラに用いることができ、本実施形態に係るレンズ鏡筒は、ビデオカメラに用いる。
【００１１】
レンズ鏡筒は、回転鏡筒１と、固定筒２と、レンズグループ３及びガイド部品４を備える。前記回転鏡筒１及び前記固定筒２は、中空円筒形である。前記固定筒２は、ビデオカメラ（図示せず）に固定され、前記回転鏡筒１は、前記固定筒２の外周を覆い、且つ前記固定筒２に対して相対的に回転することができる。前記レンズグループ３は、前記固定筒２の中に内蔵される。前記ガイド部品４は、前記回転鏡筒１及び前記固定筒２を横切って前記レンズグループ３に固定接続する。
【００１２】
前記回転鏡筒１の上にガイドスロット１１と、半開口進入スロット１３及び位置限定構造を設置し、本実施形態において、前記位置限定構造は、前記回転鏡筒１の内壁に設置された内周スロット１２である。
【００１３】
前記ガイドスロット１１は、細長いスロットであって、前記回転鏡筒１の側壁に設置されており、その方向は、前記レンズグループ３の光軸ＯＯ’の方向に対して傾斜する。前記半開口進入スロット１３は、前記回転鏡筒１の一端の縁に設置される。前記内周スロット１２は、前記回転鏡筒１の内壁に設置されており、且つ前記半開口進入スロット１３と同じ一端に位置し、前記内周スロット１２と前記半開口進入スロット１３は、互いに連通する。
【００１４】
前記固定筒２の上に直線スロット２１と位置限定構造を設置し、本実施形態において、前記位置限定構造は、凸塊２２である。
【００１５】
前記直線スロット２１は、細長いスロットであって、前記固定筒２の側壁に設置されており、前記直線スロット２１の方向は、前記レンズグループ３の光軸ＯＯ’の方向に対して平行である。前記凸塊２２は、前記固定筒２の一端に設置されており、且つ前記固定筒２と一体に成型される。
【００１６】
前記固定筒２の上の直線スロット２１と前記回転鏡筒１の上のガイドスロット１１は互いに交差する。前記固定筒２の上の凸塊２２と前記回転鏡筒１の内壁の内周スロット１２は互いに係合する。
【００１７】
前記ガイド部品４は、前記ガイドスロット１１と前記直線スロット２１を横切って前記レンズグループ３に固定接続する。
【００１８】
図３は、図２に示すレンズ鏡筒を組み立てた状態を示す図である。前記レンズグループ３は、前記固定筒２の中に内臓されており、前記回転鏡筒１は、前記固定筒２の外周を覆う。前記固定筒２の上の凸塊２２は、前記回転鏡筒１の上の半開口進入スロット１３によって、前記回転鏡筒１の内周スロット１２の中に挟まることにより、前記回転鏡筒１が光軸ＯＯ’の方向に沿って前記固定筒２に対して相対的に移動することを防止する。前記ガイド部品４は、前記回転鏡筒１の上のガイドスロット１１と、前記固定筒２の上の直線スロット２１を横切って前記レンズグループ３に固定接続する。前記回転鏡筒１が外力の作用によって回転する時、前記ガイド部品４が前記ガイドスロット１１の中で運動するとともに前記直線スロット２１の中で光軸ＯＯ’の方向に沿って移動し、この時、前記ガイド部品４が前記レンズグループ３に固定接続するため、前記ガイド部品４が光軸ＯＯ’の方向に沿って移動するのに従って、前記レンズグループ３も光軸ＯＯ’の方向に沿って移動することにより、焦点調節を完成する。
【００１９】
焦点調節可能なレンズ鏡筒において、一般的に複数のレンズグループを有するため、レンズグループ毎に、それぞれ対応する１組のガイド部品４に接続される。本実施形態において、レンズ鏡筒の中に二つのレンズグループを有し、これに対応するガイド部品４も２組である。レンズグループを穏やかに移動することを必要とするため、本実施形態において、三点固定の方式を採用し、即ち１組のガイド部品４は、三つのガイド部品４を含む。前記ガイド部品４に対応する前記回転鏡筒１の上のガイドスロット１１と前記固定筒２の上の直線スロット２１も別々に２組であって、１組に対応する数量は、三つである。
【００２０】
前記内周スロット１２と前記凸塊２２の位置を変換することができ、即ち前記固定筒２の外表面に外周スロットを設置し、前記回転鏡筒１の内壁に凸塊を設置し、前記外周スロットと前記凸塊が互いに係合し、このような設計も同様に前記回転鏡筒１が光軸ＯＯ’の方向に沿って前記固定筒２に対して相対的に移動することを防止することができる。
【００２１】
なお、前記回転鏡筒１の内壁の内周スロット１２を二つの回転平行する凸縁に変換することができ、前記固定筒２の上の凸塊と前記凸縁が互いに係合することにより、同様に前記回転鏡筒１が光軸ＯＯ’の方向に沿って前記固定筒２に対して相対的に移動することを防止することができる。
【００２２】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００２３】
【図１】従来のレンズ鏡筒の構造を示す図である。
【図２】本発明の実施形態に係るレンズ鏡筒の構造を示す分解図である。
【図３】図２に示すレンズ鏡筒を組み立てた状態を示す図である。
【符号の説明】
【００２４】
１  回転鏡筒
２、６  固定筒
３  レンズグループ
４  ガイド部品
５  ズームレンズ鏡筒
１１、５３  ガイドスロット
１２  内周スロット
１３  半開口進入スロット
２１、６１  直線スロット
２２  凸塊
５１  動き防止スロット
５２  動き防止ねじ
５４  ガイドジベル
【図１】
2009053696.tif 000003
【図３】
2009053696.tif 000004
【図２】
2009053696.tif 000005